(57)【特許請求の範囲】
【請求項１】
基端側に装備せる把持グリップ（１）に並列させてボディ（ａ）に軸支した握りレバー（５）を握り込む作動により、ボディ（ａ）内に設けた弁機構（４）が開弁してボディ（ａ）先端側の吐出筒（２）の筒先の吐出口（２ａ）からシーラが吐出し、握りレバー（５）の握り込みの解放により復元バネ（５０）による復元回動の作動で弁機構（４）が閉弁してシーラの吐出を停止させるシーラガン（Ａ）のボディ（ａ）に、前記握りレバー（５）の回動動作に連動してポンプ室（ｐ）が拡縮する作動により吸引と吐出のポンプ作動を行うポンプ装置（Ｐ）を組み付け、それのポンプ室（ｐ）に接続する吸引・吐出パイプ（６３）を吐出筒（２）内に配置し、該吸引・吐出パイプ（６３）の先端開口を吐出筒（２）の吐出口（２ａ）の手前に臨ませ、握りレバー（５）の握り込みの解放により弁機構（４）を閉弁させてシーラの吐出を停止させたときに吐出筒（２）の吐出口（２ａ）付近に付着して垂れ下がるシーラをポンプ装置（Ｐ）のポンプ室（ｐ）内に吸引せしめるようにしたシーラガンにおいて、吐出筒（２）内に配置せしめる吸引・吐出パイプ（６３）の先端側を吐出筒（２）の吐出口（２ａ）に接続し、該吸引・吐出パイプ（６３）の筒壁の吐出筒（２）内腔に臨む部位における先端側に寄る部位に、吐出筒（２）内のシーラの流路（ｕ）に対し連通する連通口（Ｙ）を開設し、かつ、その連通口（Ｙ）を、前記ポンプ装置（Ｐ）の吸引・吐出のポンプ作動に連動して前後に動くようポンプ装置（Ｐ）に設けた遮閉部材（ｚ）により、吸引作動時には遮閉し、吐出作動時には開放するようにしたことを特徴とするシーラガン。
【請求項２】
ポンプ装置（Ｐ）のポンプ室（ｐ）に接続させて吐出筒（２）内に配置せしめる吸引・吐出パイプ（６３）を、内側パイプ（６３０）と外側パイプ（６３１）とが重合して嵌合する二重パイプ状に構成し、外側パイプ（６３１）の先端側を、吐出筒（２）の筒先の吐出口（２ａ）に固定接続し、該外側パイプ（６３１）の筒壁の、吐出筒（２）内に位置する部位における先端側に寄る部位に、吐出筒（２）内のシーラの流路（ｕ）に連通する連通口（Ｙ）を開設し、内側パイプ（６３０）の基端側を、ポンプ室（ｐ）に接続連通せしめるとともにポンプ室（ｐ）を拡縮させるピストン（６１）に接続連結し、内側パイプ（６３０）の筒壁の先端側で、ピストン（６１）の押し込みによる吐出作動により前方移動した状態時に前記外側パイプ（６３１）に開設せる連通口（Ｙ）と重合する部位に、連通穴（ｙ）を開設し、内側パイプ（６３０）の筒壁の前記連通穴（ｙ）より先端側の部位に遮閉部材（ｚ）を形成したことを特徴とする請求項１記載のシーラガン。
【請求項３】
ポンプ装置（Ｐ）のポンプ室（ｐ）に接続せしめて吐出筒（２）内に配設する吸引・吐出パイプ（６３）を、内側パイプ（６３０）と外側パイプ（６３１）とが重合して嵌合する二重パイプ状に構成し、内側パイプ（６３０）の先端側を、吐出筒（２）の筒先の吐出口（２ａ）に固定接続し、外側パイプ（６３１）の筒壁の、吐出筒（２）内に位置する部位で先端側に寄る部位に、吐出筒（２）内のシーラの流路（ｕ）に通ずる連通口（Ｙ）を開設し、外側パイプ（６３１）の基端側を、ポンプ室（ｐ）に接続連通せしめるとともに、ポンプ室（ｐ）を拡縮させるピストン（６１）に連結し、外側パイプ（６３１）の筒壁の先端側で、ピストン（６１）の押し込みによる吐出作動により前方移動した状態時において前記外側パイプ（６３１）に開設せる連通口（Ｙ）と重合する部位に、連通穴（ｙ）を開設し、その連通穴（ｙ）より先端側の内側パイプ（６３０）の筒壁に遮閉部材（ｚ）を形成したことを特徴とする請求項１記載のシーラガン。
【請求項４】
ポンプ装置（Ｐ）のポンプ室（ｐ）に接続せしめて吐出筒（２）内に配設する吸引・吐出パイプ（６３）を、内側パイプ（６３０）と外側パイプ（６３１）と外周を囲う外周側（６３２）とが重合して嵌合する三重パイプ状に構成し、外側パイプ（６３１）は軸方向に短い短筒状に形成し、該外側パイプ（６３１）の先端側を吐出筒（２）の筒先の吐出口（２ａ）に固着連結し、吐出筒（２）内に位置する外側パイプ（６３１）の筒壁の先端側に寄る部位に、吐出筒（２）内のシーラの流路（ｕ）に通ずる連通口（Ｙ）を開設し、内側パイプ（６３０）は前記外側パイプ（６３１）の内径に対応する外径の筒状に形成し、該内側パイプ（６３０）の先端側を、前記外側パイプ（６３１）内に摺動自在に嵌挿し、該内側パイプ（６３０）の基端側を、ポンプ室（ｐ）のブロック（６２）に固定連結し、該内側パイプ（６３０）の筒壁にはピストン（６１）の、押し込みにより前方移動した状態時に前記外側パイプ（６３１）に開設した連通口（Ｙ）と重合する部位に、連通穴（ｙ）を開設し、ピストン（６１）の、引き込みにより後方移動した状態時に前記連通口（Ｙ）と重合する部位には、その連通口（Ｙ）を遮閉する遮閉部材（ｚ）を設け、外周側パイプ（６３２）は、内径が前記外側パイプ（６３１）の外径に対応する長筒状に形成し、該外周側パイプ（６３２）の先端側を前記外側パイプ（６３１）の後端側の外周に固着連結し、後端側をポンプ室（ｐ）のブロック（６２）に固着連結したことを特徴とする請求項１記載のシーラガン。
【請求項５】
ポンプ装置（Ｐ）のポンプ室（ｐ）に接続せしめて吐出筒（２）内に配設する吸引・吐出パイプ（６３）を、軸方向に短い短筒状の内側パイプ（６３０）と軸方向に長い筒状の外側パイプ（６３１）とが重合して接続した継ぎパイプ状に構成し、内側パイプ（６３０）の先端側を吐出筒（２）の筒先の吐出口（２ａ）に固定接続し、該内側パイプ（６３０）の、吐出筒（２）内に位置する筒壁の先端側に寄る部位に、吐出筒（２）内のシーラの流路（ｕ）に通ずる連通口（Ｙ）を開設し、外側パイプ（６３１）の先端側を、前記内側パイプ（６３０）の基端側の外周に重合させて接続固着し、該外側パイプ（６３１）の基端側を、ポンプ室（ｐ）に接続連通させるとともに、ポンプ室（ｐ）の前面ブロック（６２）に固着連結して内側パイプ（６３０）を支持せしめ、かつ、該外側パイプ（６３１）の内腔には、基端側が前記ポンプ装置（Ｐ）のピストン（６１）に接続連結し、先端側に前記内側パイプ（６３０）の後端開口部を封栓する封栓部（ｘ）を具備する封栓ロッド（Ｌ）を、ピストン（６１）の前方移動時に前記先端側の封栓部（ｘ）が前記内側パイプ（６３０）の後端開口部を封栓する位置を占め、ピストン（６１）の後方移動時に前記内側パイプ（６３０）の後端開口部を開放する位置を占める長さに形成して配設し、該封栓ロッド（Ｌ）の先端部に、前記内側パイプ（６３０）の筒壁に設けた連通口（Ｙ）を開閉せしめる遮閉部材（ｚ）を取り付けたことを特徴とする請求項１記載のシーラガン。
【発明の詳細な説明】
【技術分野】
【０００１】
本発明は、塗布剤または充填剤等のシーラを吐出筒の先端の吐出口から吐出させるシーラガンであって、シーラの吐出を停止させたときに吐出筒の先端の吐出口部に生じてくるシーラの液だれを除去・消失せしめる液だれ防止装置を装備せしめてあるシーラガンについての改良に関する。
【０００２】
さらに具体的にいえば、基端側に装備せる把持グリップに並列させてボディに軸支した握りレバーを握り込む作動で、ボディ内に設けた弁機構が開弁してボディ先端側の吐出筒の筒先の吐出口からシーラが吐出し、握りレバーの握り込みの解放により復元バネによる該握りレバー復元回動の作動で弁機構が閉弁してシーラの吐出を停止させるよう構成したシーラガンのボディに、前記握りレバーの回動作動に連動してポンプ室が拡縮する作動により吸引と吐出のポンプ作動を行うポンプ装置を組み付け、それの拡縮室に接続する吸引・吐出パイプを、吐出筒内に配置して先端開口を吐出筒の吐出口の手前に臨ませ、握りレバーの握り込みの解放により弁機構を閉弁させてシーラの吐出を停止させたときに、吐出筒の吐出口の付近に生じてくる液だれのシーラを、ポンプ装置の吸引・吐出パイプにより吐出筒内に引き込みポンプ室に吸引せしめて消失させるようにしてある液だれ防止装置付きのシーラガンについての改良に関する。
【背景技術】
【０００３】
塗布剤・充填剤などを液材料としたシーラを、構造体の隙間・間隙に、塗布・充填する作業に用いられるシーラガンは、通常、図１に示しているように、基端側に把持グリップ１を有する中空筒体の銃身状に形成したボディａの先端部に、筒先に吐出口２ａを形成した吐出筒２の基端側を接続し、ボディａの内部には、導入管３から供給されてくるシーラを先端部の吐出筒２に導く流路ｕと、その流路ｕと吐出筒２との連通を断・接する弁口４０と弁座口４１とからなる弁機構４とを設け、その弁機構４と、ボディａの把持グリップ１に並列させてボディａに軸支した握りレバー５とを、その握りレバー５を把持グリップ１と共に握り込む作動で弁機構４が開弁し、その握りレバー５の握り込みの解放作動でその握りレバー５が復元バネ５０により復元回動する作動で弁機構４の閉弁が行われるよう連繋機構５１を介し連繋し、握りレバー５を把持グリップ１とともに握り込むと、弁機構４が開弁して導入管３から供給されてくるシーラが、流路ｕを経て吐出筒２に導かれて、それの筒先の吐出口２ａから吐出され、握りレバー５の握り込みを放すと、弁機構４が閉弁して、シーラの吐出が停止するように構成してある。
【０００４】
このシーラガンＡは、握りレバー５の握り込みを放して、該握りレバー５を復元バネ５０により把持グリップ１から離れた開放位置に復元回動させ、同時にこの復元回動により、弁機構４を閉弁に作動させ、シーラの吐出を停止させたとき、弁機構４より下流側においてシーラガンＡの器内に残留したシーラが、導入管３から導入されるときに与えられていた圧力により、吐出筒２の筒先の吐出口２ａから押し出されてくるようになる。
【０００５】
そして、このシーラガンＡの器内から吐出口２ａを介して押し出されるシーラは、粘性を具備して付着性と凝集性が大きい性状のものであることから、吐出筒２の筒先の吐出口２ａから離れずに、その吐出口２ａの周縁に付着して、つらら状に垂れ下がり、液だれの現象を呈するようになる。
【０００６】
このシーラの吐出を握りレバー５の握り込みの解放による弁機構４の閉弁作動により停止させたときに、吐出筒１の先端の吐出口２ａの周辺に付着して垂れ下がるシーラの液だれは、放置しておくと、シーラが外気に曝されることで、次に塗布作業・充填作業を行うときには、正常に使用できない性状のものに変性する性状のものであることから、シーラの吐出を停止させたときに、その直後に、吐出筒２の先端から拭き取って廃棄する処理を行っている。このことから、シーラガンＡには、液材料のシーラの吐出を停止させる度ごとに、生じてくる液だれを拭き取る作業を行わなければならないことで、塗布・充填作業の作業性を悪くし、また液だれを廃棄することで、シーラの損失を招いている問題がある。
【０００７】
シーラガンＡに組み付け装備せしめる液だれの防止装置Ｂは、このシーラガンＡに、シーラの吐出を停止させる度ごとに生じてくる液だれを除去消失せしめるためのものである。
【０００８】
このシーラガンＡに組み付け装備せしめる液だれ防止装置Ｂは、図２に示しているように、シーラガンＡの本体を構成するボディａに組み付けるポンプ室ｐが拡縮して吸引と吐出の作動を行うポンプ装置Ｐと、そのポンプ装置Ｐの吐出作動と吸引作動とが、握りレバー５を握り込む作動により行われる弁機構４の開弁作動及び握りレバー５の握り込みの解放により該レバー５が復元バネ５０により復元回動する作動によって行われる弁機構４の閉弁作動とに、それぞれ連動して行われるように、ポンプ装置Ｐと弁機構４とを連動連繋する連繋機構と、ポンプ装置Ｐの吸引作動による吸引圧を、吐出筒２の筒先の吐出口２ａの近傍に作用させるよう、基端側をポンプ装置Ｐのポンプ室ｐに接続させ、先端開口を吐出筒２の吐出口２ａの近傍に位置させて吐出筒２内に配設する吸引・吐出パイプ６３とからなる。
【０００９】
ポンプ装置Ｐは、図２に示しているように、シリンダ状に形成してボディａ内に組み付けたケーシング６０と、そのケーシング６０の後面側から摺動自在に嵌合するピストン６１と、ケーシング６０の前面側に装着するブロック６２とにより、ケーシング６０内のピストン６１の前端面とブロック６２の後端面との間に形成されるポンプ室（拡縮室）ｐが、ピストン６１の出入作動で拡縮して、そのポンプ室ｐに接続する吸引・吐出パイプ６３を介して吸引・吐出の作動を行うように構成してある。
【００１０】
このポンプ装置Ｐの吸引・吐出の作動と弁機構４の閉弁・開弁の作動とを連動連繋させる連繋機構は、図２に示しているシーラガンＡに付設の液だれ防止装置Ｂにあっては、ボディａ内に前後方向にスライド自在に収蔵せしめて復元バネ５０により後方に移動するよう付勢した作動シャフト７を、握りレバー５と連繋機構５１を介し握りレバー５の握り込みによりシャフト７が復元バネ５０を押し縮めながら前方に動き、握りレバー５の握り込みを放すと、復元バネ５０が復元するバネ圧で、該シャフト７が後方に動き、同時に握りレバー５を開放側に復元回動させるように連動連繋させておいて、この作動シャフト７の前端部に、弁機構４の弁軸４２を一体的に連続させて設け、さらに、その弁軸４２の前端側にポンプ装置Ｐのピストン６１を一体的に連続させて設けることで、握りレバー５の握り込みにより、シャフト７が前方に動いて弁軸４２が、前方（図２において左方）に押し出され、その弁軸４２に設けた弁座口４１が弁口４０と対向する位置に動いて弁機構４を開弁した状態としたときに、弁軸４２の先端側に設けたピストン６１が、ケーシング６０内に押し込まれて、図３の（１）にあるように、ケーシング６０のブロック６２の前面とピストン６１の前端壁とで形成するポンプ室ｐを押し縮めて圧力を吸引・吐出パイプ６３から吐出する吐出作動を行い、握りレバー５の握り込みを解放して、握りレバー５を復元バネ５０により復元回動させ同時に弁軸４２を後方（図２において右方）に引き戻し弁軸４２に設けた弁座口４１を弁口４０から離れた位置に動かして弁機構４を閉弁状態とするときは、図３の（２）、（３）、（４）に示している如く、弁軸４２とともにピストン６１がケーシング６０から引き出されるように動いて、ケーシング６０内のポンプ室ｐを拡張させて、それにより生成される負圧で吸引・吐出パイプ６３を介し、吸引作動を行うように、ポンプ装置Ｐと握りレバー５とを連動・連繋する連繋機構を構成している。
【００１１】
そして、このポンプ装置Ｐのケーシング６０内のポンプ室ｐと連通する吸引・吐出パイプ６３は、シーラガンＡの吐出筒２内に配置し、それの先端開口を吐出筒２の筒先の吐出口２ａの近傍位置に臨むように配位してあり、これにより、握りレバー５の握り込みを解放し、弁機構４を閉弁に作動させてシーラの吐出を停止させ、同時にポンプ装置Ｐに吸引作動を行わせたときに、その吸引作動で生成する吸引圧が、吐出筒２の筒先の吐出口２ａ付近に作用して、吐出筒２の吐出口２ａの周辺に付着して垂れ下がるように生じてくるシーラの液だれを、吐出筒２の吐出口２ａから、逆に吐出筒２内に引き込み、拡張していくポンプ装置Ｐのケーシング６０内のポンプ室ｐに吸引して、吐出筒２の吐出口２ａの周辺から消失させ得るようにしている。
【００１２】
このように、シーラガンＡのボディａに、把持グリップ１に並設した握りレバー５の回動作動によりポンプ室ｐが拡縮して吐出と吸引の作動を行うポンプ装置Ｐを組み付け、そのポンプ装置Ｐのポンプ室ｐに接続する吸引・吐出パイプ６３を、吐出筒２内に配置して、それの先端開口を、吐出筒２の内腔でその吐出筒２の先端の吐出口２ａの手前に臨ませておくことで構成する液だれ防止装置Ｂを装備せしめたシーラガンＡは、握りレバー５の握り込みを放すと、復元バネにより弁機構が閉弁してシーラの吐出を停止させ、同時にポンプ装置Ｐが吸引作動を行うようになることから、握りレバー５の握り込みを解放して、シーラの吐出を停止させたときに、吐出筒２の先端の吐出口２ａの周辺に付着して垂れ下がるように生じてくるシーラの液だれを、握りレバー５の復元バネ５０による復元回動により連動して作動するポンプ装置Ｐの吸引作動で生成される吸引圧により、吐出筒２内を経てポンプ装置Ｐのポンプ室（拡縮室）ｐに引き込んで、消失させるようになるが、この液だれのシーラの吸引除去は、ポンプ装置Ｐのポンプ室（拡縮室）ｐの吸引作動による吸引圧で、吐出筒２の筒先の吐出口２ａの外に垂れ下がるシーラを吐出筒２内に引き込む効率により左右される。
【００１３】
ポンプ装置Ｐのポンプ室ｐが収縮する吸引作動が充分に行われていても、吐出筒２の筒先の吐出口２ａの周辺から垂れ下がるように生じてくるシーラの液だれが、吐出口２ａに作用するポンプ装置Ｐの吸引作動による吸引圧により、吐出口２ａを経て吐出筒２内に引き込まれていく効率が悪ければ、液だれのシーラは、きれいに吸引されず残りが生ずるようになる。
【発明の概要】
【発明が解決しようとする課題】
【００１４】
本発明において解決しようとする課題は、上述の液だれ防止装置Ｂを装備するシーラガンにおいて、握りレバー５の握り込みを解放して、該レバー５の復元バネ５０による復元回動の作動により、弁機構４を閉弁に作動させて、吐出筒２の筒先からのシーラの吐出を停止させたときに、この作動に連動して行われるボディａに組み付けたポンプ装置Ｐの吸引作動により、吐出筒２の筒先の吐出口２ａ付近に生じてくる液だれのシーラを、吐出筒２内に配設した吸引・吐出パイプ６３を経てポンプ装置Ｐに吸引させる際のシーラを吐出筒２内に引き込む効率を良くして、ポンプ装置Ｐによる液だれのシーラの吸引・除去の効果が充分に得られるようにする点にある。
【課題を解決するための手段】
【００１５】
上述の、課題を解決するための手段として、本発明においては、基端側に装備せる把持グリップ１に並列させてボディａに軸支した握りレバー５を握り込む作動により、ボディａ内に設けた弁機構４が開弁してボディａ先端側の吐出筒２の筒先の吐出口２ａからシーラが吐出し、握りレバー５の握り込みの解放により復元バネ５０による復元回動の作動で弁機構４が閉弁してシーラの吐出を停止させるシーラガンＡのボディａに、前記握りレバー５の回動動作に連動してポンプ室ｐが拡縮する作動により吸引と吐出のポンプ作動を行うポンプ装置Ｐを組み付け、それのポンプ室ｐに接続する吸引・吐出パイプ６３を吐出筒２内に配置し、該吸引・吐出パイプ６３の先端開口を吐出筒２の吐出口２ａの手前に臨ませ、握りレバー５の握り込みの解放により弁機構４を閉弁させてシーラの吐出を停止させたときに吐出筒２の吐出口２ａ付近に付着して垂れ下がるシーラをポンプ装置Ｐのポンプ室ｐ内に吸引せしめるようにしたシーラガンにおいて、吐出筒２内に配置せしめる吸引・吐出パイプ６３の先端側を吐出筒２の吐出口２ａに接続し、該吸引・吐出パイプ６３の筒壁の吐出筒２内腔に臨む部位における先端側に寄る部位に、吐出筒２内のシーラの流路ｕに対し連通する連通口Ｙを開設し、かつ、その連通口Ｙを、前記ポンプ装置Ｐの吸引・吐出のポンプ作動に連動して前後に動くようポンプ装置Ｐに設けた遮閉部材ｚにより、吸引作動時には遮閉し、吐出作動時には開放するようにしたことを特徴とするシーラガンを提起するものである。
そして、これに併せて、上述のシーラガンにおいて、ポンプ装置Ｐのポンプ室ｐに接続させて吐出筒２内に配置せしめる吸引・吐出パイプ６３を、内側パイプ６３０と外側パイプ６３１とが重合して嵌合する二重パイプ状に構成し、外側パイプ６３１の先端側を、吐出筒２の筒先の吐出口２ａに固定接続し、該外側パイプ６３１の筒壁の、吐出筒２内に位置する部位における先端側に寄る部位に、吐出筒２内のシーラの流路ｕに連通する連通口Ｙを開設し、内側パイプ６３０の基端側を、ポンプ室ｐに接続連通せしめるとともにポンプ室ｐを拡縮させるピストン６１に接続連結し、内側パイプ６３０の筒壁の先端側で、ピストン６１の押し込みによる吐出作動により前方移動した状態時に前記外側パイプ６３１に開設せる連通口Ｙと重合する部位に、連通穴ｙを開設し、内側パイプ６３０の筒壁の前記連通穴ｙより先端側の部位に遮閉部材ｚを形成したことを特徴とするシーラガン。
および、上述のシーラガンにおいて、ポンプ装置Ｐのポンプ室ｐに接続せしめて吐出筒２内に配設する吸引・吐出パイプ６３を、内側パイプ６３０と外側パイプ６３１とが重合して嵌合する二重パイプ状に構成し、内側パイプ６３０の先端側を、吐出筒２の筒先の吐出口２ａに固定接続し、外側パイプ６３１の筒壁の、吐出筒２内に位置する部位で先端側に寄る部位に、吐出筒２内のシーラの流路ｕに通ずる連通口Ｙを開設し、外側パイプ６３１の基端側を、ポンプ室ｐに接続連通せしめるとともに、ポンプ室ｐを拡縮させるピストン６１に連結し、外側パイプ６３１の筒壁の先端側で、ピストン６１の押し込みによる吐出作動により前方移動した状態時において前記外側パイプ６３１に開設せる連通口Ｙと重合する部位に、連通穴ｙを開設し、その連通穴ｙより先端側の内側パイプ６３０の筒壁に遮閉部材ｚを形成したことを特徴とするシーラガン。
および、上述のシーラガンにおいて、ポンプ装置Ｐのポンプ室ｐに接続せしめて吐出筒２内に配設する吸引・吐出パイプ６３を、内側パイプ６３０と外側パイプ６３１と外周を囲う外周側６３２とが重合して嵌合する三重パイプ状に構成し、外側パイプ６３１は軸方向に短い短筒状に形成し、該外側パイプ６３１の先端側を吐出筒２の筒先の吐出口２ａに固着連結し、吐出筒２内に位置する外側パイプ６３１の筒壁の先端側に寄る部位に、吐出筒２内のシーラの流路ｕに通ずる連通口Ｙを開設し、内側パイプ６３０は前記外側パイプ６３１の内径に対応する外径の筒状に形成し、該内側パイプ６３０の先端側を、前記外側パイプ６３１内に摺動自在に嵌挿し、該内側パイプ６３０の基端側を、ポンプ室ｐのブロック６２に固定連結し、該内側パイプ６３０の筒壁にはピストン６１の、押し込みにより前方移動した状態時に前記外側パイプ６３１に開設した連通口Ｙと重合する部位に、連通穴ｙを開設し、ピストン６１の、引き込みにより後方移動した状態時に前記連通口Ｙと重合する部位には、その連通口Ｙを遮閉する遮閉部材ｚを設け、外周側パイプ６３２は、内径が前記外側パイプ６３１の外径に対応する長筒状に形成し、該外周側パイプ６３２の先端側を前記外側パイプ６３１の後端側の外周に固着連結し、後端側をポンプ室ｐのブロック６２に固着連結したことを特徴とするシーラガン。
および、上述の液だれ防止装置Ｂを装備せるシーラガンにおいて、ポンプ装置Ｐのポンプ室ｐに接続せしめて吐出筒２内に配設する吸引・吐出パイプ６３を、軸方向に短い短筒状の内側パイプ６３０と軸方向に長い筒状の外側パイプ６３１とが重合して接続した継ぎパイプ状に構成し、内側パイプ６３０の先端側を吐出筒２の筒先の吐出口２ａに固定接続し、該内側パイプ６３０の、吐出筒２内に位置する筒壁の先端側に寄る部位に、吐出筒２内のシーラの流路ｕに通ずる連通口Ｙを開設し、外側パイプ６３１の先端側を、前記内側パイプ６３０の基端側の外周に重合させて接続固着し、該外側パイプ６３１の基端側を、ポンプ室ｐに接続連通させるとともに、ポンプ室ｐの前面ブロック６２に固着連結して内側パイプ６３０を支持せしめ、かつ、該外側パイプ６３１の内腔には、基端側が前記ポンプ装置Ｐのピストン６１に接続連結し、先端側に前記内側パイプ６３０の後端開口部を封栓する封栓部ｘを具備する封栓ロッドＬを、ピストン６１の前方移動時に前記先端側の封栓部ｘが前記内側パイプ６３０の後端開口部を封栓する位置を占め、ピストン６１の後方移動時に前記内側パイプ６３０の後端開口部を開放する位置を占める長さに形成して配設し、該封栓ロッドＬの先端部に、前記内側パイプ６３０の筒壁に設けた連通口Ｙを開閉せしめる遮閉部材ｚを取り付けたことを特徴とするシーラガンを提起するものである。
【発明の効果】
【００１６】
本発明手段によれば、握りレバー５の握り込みを解放して、弁機構４を閉弁に作動させてシーラの吐出を停止させ、同時にポンプ装置Ｐを吸引作動させたときに、吸引・吐出パイプ６３の筒壁に開設した連通口Ｙが、ポンプ装置Ｐの吸引作動と連動する遮閉部材ｚにより遮閉されることで、吸引・吐出パイプ６３は、ボディａ内のシーラの流路ｕとは遮断されて、吐出筒２の筒先の吐出口２ａを介して吐出筒２の外部にだけ連通するようになる。これにより、吸引・吐出パイプ６３によるシーラの吸引が、吐出筒２内のシーラの流路ｕに残ったシーラは吸引せず、吐出筒２の筒先の吐出口２ａから吐出されて、その吐出口２ａの周辺に付着しているシーラだけを吸引するようになるので、ポンプ装置Ｐの吸引作動による吸引圧により液だれのシーラを吐出筒２内に引き込む効率が良くなり、液だれの除去・消失が効果的に得られるようになる。また、弁機構４を開弁してシーラを吐出させている状態時に、シーラの吸引・吐出パイプ６３への流入を阻止する封栓ロッドＬを設けて、吸引作動が、空の状態とした吸引・吐出パイプ６３を経て行われるようにしたときには、シーラの吐出筒２への流入が効率的に行われるようになって、引き込みの効率を良くする。
【図面の簡単な説明】
【００１７】
【図１】従前のシーラガンの縦断した側面図である。
【図２】改善策として液だれ防止装置を装備せしめたシーラガンの縦断側面図である。
【図３】同上シーラガンの液だれ防止装置を組み込んだ先端側の部分の縦断側面図で、（１）は、液だれ防止装置のポンプ装置の吐出行程がエンドに達した状態時の縦断側面図、（２）は、同上ポンプ装置の吸引行程が開始した状態時の縦断側面図、（３）は、吸引行程が進んだ状態時の縦断側面図、（４）は、吸引行程がエンドに達した状態時の縦断側面図である。
【図４】本発明手段を実施したシーラガンで、第１の実施例の縦断側面図である。
【図５】同上実施例の先端側の部分の拡大した縦断側面図で、ポンプ装置の吸引作動時に、吸引・吐出パイプに設けた連通口が遮閉部材により閉塞されている状態時の縦断側面図である。
【図６】同上実施例の同上部分の縦断側面図で、ポンプ装置の吐出作動時に、吸引・吐出パイプに設けた連通口が開放している状態を示す縦断側面図である。
【図７】本発明手段の第２の実施例の、基端側を省略した前端側部分の縦断側面図で、ポンプ装置の吸引作動時に吸引・吐出パイプに設けた連通口が遮閉部材により遮閉されている状態時の縦断側面図である。
【図８】同上実施例の同上部分の縦断側面図で、ポンプ装置の吐出作動時により吸引・吐出パイプに設けた連通口が開放している状態時の縦断側面図である。
【図９】本発明手段の第３の実施例の、基端側を省略した前端側部分の縦断側面図で、ポンプ装置の吸引作動により吸引・吐出パイプに設けた連通口が遮閉部材により遮閉されている状態時の縦断側面図である。
【図１０】同上実施例の同上部分の縦断側面図で、ポンプ装置の吐出作動により、吸引・吐出パイプに設けた連通口が開放している状態時の縦断側面図である。
【図１１】本発明手段の第４の実施例の、基端側を省略した前端側部分の縦断側面図で、ポンプ装置の吸引作動がエンドに達した状態時の縦断側面図である。
【図１２】同上実施例の同上部分の縦断側面図で、ポンプ装置の吐出作動がエンドに達した状態時の縦断側面図である。
【発明を実施するための形態】
【００１８】
次に本発明の実施の態様を、実施例につき図面に従い詳述する。
【実施例１】
【００１９】
図４は、本発明を実施せるシーラガンの全体の縦断した側面図である。図において、ａはボディ、１はそのボディａの基端側に設けた把持グリップ、２はボディａの先端側に設けた吐出筒、３は吐出筒２の筒先の吐出口２ａから吐出させるシーラをボディａ内に供給するよう把持グリップ１の下端部に接続した導入管、ｕは導入管３で供給されるシーラを吐出筒２に導くようボディａ内に設けたシーラの流路、４はその流路ｕを介して供給されるシーラの、吐出筒２の筒先の吐出口２ａの吐出をオン・オフ制御するよう流路ｕに設けた弁機構、５は、把持グリップ１の前面側に配位してボディａに軸支した握りレバー、５０は握りレバー５を把持グリップ１から離れた開放位置に向け復元回動させるよう付勢する復元バネ、５１は復元バネ５０の付勢に抗して、握りレバー５を把持グリップ１と共に握り込んで把持グリップ１に沿う近接位置に回動させる作動で、前記弁機構４を開弁に作動させ、握り込みを開放して復元バネ５０により開放位置に回動させる作動で、弁機構４を閉弁に作動させるよう、握りレバー５の回動作動と弁機構４の作動とを連繋する連繋機構、Ｐはボディａに組み付けた液だれ防止装置Ｂのポンプ装置、ｐはそのポンプ装置Ｐの拡縮するポンプ室、６３は基端側をポンプ室ｐに接続させて先端側を吐出筒２内に配置せるポンプ装置Ｐの吸引・吐出パイプを示し、これらの構成部材は、図２・図３に示している液だれ防止装置付きのシーラガンの対応する各構成部材と同様の構成のものである。
【００２０】
これらの構成部材は、この実施例においては、弁機構４にあっては、筒状に成形されたボディａ内に、前後方向（図４において左右方向）にスライド自在に収蔵せしめたシャフト７の前端側（図４において左端側）に、該シャフト７に一体または一体的に連続させて弁軸４２を装設し、その弁軸４２の周面に、下流側と上流側とに分断した流路ｕの、下流側の流路ｕ’に対して連通する弁座口４１を形設し、この弁座口４１が、シャフト７の前方へのスライドによる弁軸４２の前方移動で、分断した流路ｕの上流側の流路ｕ”の端部に形設した弁口４０と接合する位置を占めることで、開弁の状態となって流路ｕを導通させ、シャフト７の後方へのスライドによる弁軸４２の後方移動で、弁座口４１が弁口４０から外れ、弁口４０を弁軸４２の周面により遮閉することで閉弁に作動するように構成してある。
【００２１】
そして、この弁機構４の開弁・閉弁の作動を、握りレバー５の回動作動と連動連繋させる連繋機構５１は、ボビン状に成形してシャフト７に軸方向に摺動自在に嵌装した係合部材７０と、この係合部材７０を一定の位置より後方への摺動を規制するようシャフト７に設けたリング状の規制部材７１と、係合部材７０をこの規制部材７１と衝合する状態位置に押し込むようシャフト７と係合部材７０との間に張設した係合バネ７２と、握りレバー５の上端部に突起状に突設して係合部材７０に係合させた係合突起５２と、よりなり、握りレバー５を把持グリップ１と共に握り込んで把持グリップ１に近接して並行するよう後方に回動させると、突起状の係合突起５２が前方に回動してボビン状の係合部材７０を前方に押し出し、係合バネ７２によりシャフト７を前方にスライドさせて弁軸４２を前方に押し出し、弁軸４２に設けた弁座口４１を弁口４０と合致させて弁機構４を開弁に作動させる。また、握りレバー５の握り込みを解放すると、係合部材７０とボディａとの間に張設してある復元バネ５０により係合部材７０が後方に動いて係合する係合突起５２の作動で握りレバー５を、把持グリップ１から離れた開放位置に復元回動させ、同時に規制部材７１を介し係合部材７０と連結しているシャフト７が後方にスライドして、先端側の弁軸４２を後方に動かし、弁軸４２に設けた弁座口４１が弁口４０から外れた位置に動いて弁口４０を弁軸４２の周面で閉塞して閉弁に作動させるようにしてある。
【００２２】
また、ボディａに組み付けた液だれ防止装置Ｂは、シャフト７の前端側に設けた弁軸４２の前端に、一体に連続させて設けたピストン６１と、このピストン６１が摺動自在に嵌合するシリンダ状に形成してボディａ内に装着せるケーシング６０と、このケーシング６０の前端側に設けたブロック６２と、前記ピストン６１の前後方向の作動によりそのピストン６１の前面とブロック６２の後面との間に形成される拡縮するポンプ室ｐに対して接続する吸引・吐出パイプ６３とにより、ピストン６１の押し込みで吐出作動し、ピストン６１の引き込みで吸引作動するポンプ装置Ｐを構成して、これをボディａに組み付け、このポンプ装置Ｐのポンプ室ｐに接続する吸引・吐出パイプ６３を、ボディａの先端部に設けた吐出筒２内に配置し、そのパイプ６３の先端開口を、吐出筒２の筒先の吐出口２ａの近傍位置に臨ませることで、ピストン６１の後退により吸引作動を行ったときに、吸引圧が、吸引・吐出パイプ６３を介し、吐出筒２の筒先の吐出口２ａの周辺に作用して、ピストン６１と一緒に後退する弁軸４２の動きで弁機構４が閉弁に作動していることにより吐出筒２の筒先の吐出口２ａに生じてくるシーラの液だれをポンプ室ｐに吸引して消失せしめるように液だれ防止装置Ｂを構成している。
【００２３】
しかして、上述の如く構成されている液だれ防止装置付きのシーラガンにおいて、握りレバー５の握り込みを放し弁機構４を閉弁させてシーラの吐出を停止させたときに、吐出筒２の筒先の吐出口２ａの周辺に生じてくるシーラの液だれを、弁機構４の閉弁作動と連動して作動するポンプ装置Ｐの吸引作動により、吐出筒２の内腔を介しポンプ室ｐに吸引させて、除去・消失せしめるときの、そのシーラを吐出筒２内へ引き込む効率を良くするためにシーラガンに装備せしめる本発明手段は、基端側をポンプ装置Ｐのポンプ室ｐに接続させて吐出筒２内に配設する吸引・吐出パイプ６３については、それの先端側を吐出筒２の筒先の吐出口２ａに接続させて、該パイプ６３の内腔の吐出筒２内のシーラの流路ｕに対する連通を遮断し、吐出筒２の外部のシーラだけを吐出口２ａを介して吸引するようにしておく。
【００２４】
また、握りレバー５を握り込み弁機構４を開弁させて行うシーラの吐出作動時における、吐出筒２内のシーラの流路ｕに導かれてくるシーラの吐出口２ａからの吐出は、吸引・吐出パイプ６３の筒壁に流路ｕに通ずる連通口Ｙを開設しておいて、その連通口Ｙを介しシーラを吸引・吐出パイプ６３内に導き、該パイプ６３内を経て吐出口２ａから吐出されるようにしておく。
【００２５】
さらに、この吐出筒２内のシーラの流路ｕからシーラを吸引・吐出パイプ６３の内腔を経て吐出口２ａから吐出させるために吸引・吐出パイプ６３の筒壁に開設しておく連通口Ｙには、それを開閉作動させる遮閉部材ｚを設けておき、この遮閉部材ｚを、弁機構４が開弁に作動してポンプ装置Ｐが吐出作動を行っているときには、連通口Ｙを開放する位置にあり、弁機構４が閉弁に作動してポンプ装置Ｐが吸引作動を行っているときは連通口Ｙを遮閉する位置にあるように、弁機構４・ポンプ装置Ｐの作動と連動するように連動連繋させておく。
【００２６】
そして、これにより、ポンプ装置Ｐの吸引作動によるシーラの液だれの吸引が、吐出筒２内の流路ｕ中にあるボディａ内のシーラは吸引しないで、吐出筒２の外にあるシーラだけを吐出口２ａから吸引することで行われるようにして、液だれのシーラを吐出筒２内に引き込む効率を良くするように構成している手段である。
【００２７】
この実施例は、具体的な構成としては、ポンプ装置Ｐのポンプ室ｐに接続させて吐出筒２内に配置せしめる吸引・吐出パイプ６３を、内側パイプ６３０と外側パイプ６３１とが重合して摺動自在に嵌合する二重パイプ状に構成し、外側パイプ６３１はそれの先端側を、吐出筒２の筒先の吐出口２ａに固定接続して、筒壁の吐出筒２内に位置する部位に、吐出筒２内のシーラの流路ｕに連通する連通口Ｙを開設し、内側パイプ６３０はそれの基端側を、ポンプ室ｐに接続連通せしめるとともに、ポンプ室ｐを拡縮させるピストン６１に連結し、筒壁の先端側で、ピストン６１の押し込みによる吐出作動により前方移動した状態時に前記外側パイプ６３１に開設せる連通口Ｙと重合する部位に連通穴ｙを開設し、その連通穴ｙより先端側を遮閉部材ｚに形成した構成として、これにより、握りレバー５の握り込みを解放して、シーラの吐出を停止したときの、ポンプ装置Ｐの吸引作動による吸引圧により、液だれのシーラを吐出筒２内に引き込む作動が、連通口Ｙを遮閉部材ｚで遮閉した状態で行われるようにして、シーラを吐出筒２内に引き込む効率を良くしている。
【実施例２】
【００２８】
図７・図８は、本発明手段を実施せるシーラガンの、第２の実施例の要部の縦断側面図を示している。この例は、握りレバー５の握り込みの解放作動で、弁機構４を閉弁させてシーラの吐出を停止させたときに生じてくるシーラの液だれを、付設した液だれ防止装置Ｂのポンプ装置Ｐの吸引作動による吸引圧で、吐出筒２内に引き込まれるときの、その吐出筒２内へのシーラの引き込みの効率を良くするのに、吐出筒２内に配設する吸引・吐出パイプ６３は、内側パイプ６３０と外側パイプ６３１とが重合して嵌合する二重管状に形成して、一方のパイプを吐出筒２の吐出口２ａに固定接続して、これの筒壁に吐出筒２内のシーラの流路ｕに通ずる連通口Ｙを開設し、他方のパイプは、ポンプ装置Ｐの可動のピストン６１に対して接続・連結して可動に構成し、これの筒壁に前記連通口Ｙと重合することでその連通口Ｙを開放状態とする連通穴ｙと、前記連通口Ｙと重合することでその連通口Ｙを遮閉する遮閉部材ｚを設けて、ポンプ装置Ｐが吸引作動を行っているときは、連通口Ｙを遮閉して、吸引・吐出パイプ６３の吐出筒２内におけるシーラの流路ｕに対する連通を遮断して、シーラの吸引作動が、吐出筒２内に残留しているシーラは吸引せず、吐出筒２の吐出口２ａからだけを吸引する状態で行われるようにすることについては、前述した実施例１のものと変わりがないが、吐出筒２に対して固定接続する一方のパイプが内側パイプ６３０で、ピストン６１に対し連結・接続する他方のパイプが外側パイプ６３１となって、内・外に入れ換わっている例である。
【００２９】
図面に従い具体的に説明すれば、図４にあるよう構成した液だれ防止装置付きのシーラガンにおいて、ポンプ装置Ｐのポンプ室ｐに接続せしめて吐出筒２内に配設する吸引・吐出パイプ６３は、内側パイプ６３０と外側パイプ６３１とが重合して摺動自在に嵌合する二重パイプ状に構成し、内側パイプ６３０は、先端側を吐出筒２の筒先の吐出口２ａに固定接続し、筒壁の吐出筒２内に位置する部位に、吐出筒２内のシーラの流路ｕに通ずる連通口Ｙを開設し、外側パイプ６３１は、基端側をポンプ室ｐに接続連通せしめるとともに、ポンプ室ｐを拡縮させるピストン６１に連結・接続し、この外側パイプ６３１の筒壁の先端側で、ピストン６１の押し込みによる吐出作動により前方移動した状態時において前記内側パイプ６３０に開設せる連通口Ｙと重合する部位には、連通穴ｙを開設し、その連通穴ｙより先端側の筒壁を遮閉部材ｚに形成してある構成のものである。この例のシーラガンは、吐出筒２の吐出口２ａに先端側を固定するパイプを短く構成し得ることから、内側パイプ６３０と外側パイプ６３１との重合面を狭くでき、摺動抵抗を小さくできる。
【実施例３】
【００３０】
図９、図１０は、さらに別の実施例の要部の縦断側面図を示している。この例は、ポンプ装置Ｐの吸引作動で、吐出筒２の吐出口２ａからシーラを吐出筒２内に引き込むときの、そのシーラの引き込みの効率を良くするため、吸引・吐出パイプ６３を、内側パイプ６３０と外側パイプ６３１とが重合して嵌合する二重管状に形成して、それの一方を吐出筒２の吐出口２ａに接続し、他方をピストン６１に接続連結し、吐出口２ａに接続した側のパイプには吐出筒２内のシーラの流路ｕに対し連通する連通口Ｙを形設し、ピストン６１に接続した側の他方のパイプには、前記連通口Ｙとの重合により、吸引・吐出パイプ６３の内腔がその連通靴Ｙを介し吐出筒２内の流路ｕに対し連通状態とする連通穴ｙと、前記連通口Ｙとの重合により、その連通口Ｙを遮閉して、吸引・吐出パイプ６３の内腔と吐出筒２内の流路ｕとの連通を遮断する遮閉部材ｚとを設けて、ポンプ装置Ｐが吸引作動を行ったときの吸引圧が、吐出筒２のシーラの流路ｕに作用しないようにして、吐出筒２の吐出口２ａからだけシーラを吸引するようにすることについては、前述の実施例のものと変わりがない。
【００３１】
しかし、吐出筒２の吐出口２ａに接続連通する側のパイプは、軸方向に短い短筒状に形成して、それの後端側に、長筒状に形成した別体のパイプの先端側を嵌合して接続することで、継ぎパイプ状に形成し、この長筒状のパイプの後端側を、ボディａに一体的に組み付けてあるポンプ装置Ｐのブロック６２に固着連結することで、この吐出筒２の吐出口２ａに接続連結する側のパイプの支持を強固なものとしている。
【００３２】
そして、ピストン６１に対し接続する側のパイプは、この吐出筒２の吐出口２ａに接続する側のパイプの内腔に対応する外径に形成して摺動自在に嵌合して、内側パイプ６３０に構成し、前記吐出口２ａに接続するパイプを外側パイプ６３１に構成し、継ぎ合わせた長筒状のパイプ６３２が前記外側パイプ６３１及び内側パイプ６３０のさらに外側を外周パイプ６３２で囲うようにしてあって、これにより三重管状を呈するようにしている例である。
【００３３】
液だれ防止装置Ｂの構成部材との関係において具体的に説明すれば、上記の液だれ防止装置Ｂ付きのシーラガンにおいて、ポンプ装置Ｐのポンプ室ｐに接続せしめて吐出筒２内に配設する吸引・吐出パイプ６３は、内側パイプ６３０と外側パイプ６３１と外周を囲う外周側パイプ６３２とが三重に重合する三重パイプ状に構成する。
【００３４】
外側パイプ６３１は、軸方向に短い短筒状に形成して先端側を吐出筒２の筒先の吐出口２ａに固着連結し、吐出筒２内に位置する筒壁に吐出筒２内のシーラの流路ｕに対して連通する連通口Ｙを開設しておく。
【００３５】
内側パイプ６３０は、前記外側パイプ６３１の内径に対応する外径に形成して、先端側を前記外側パイプ６３１内に嵌合させ、基端側をポンプ装置Ｐのピストン６１に接続連結し、先端側の筒壁には、ピストン６１の押し込みにより前方移動した状態時に前記連通口Ｙと重合する部位に連通穴ｙを開設し、ピストン６１の引き込みにより後方移動した状態時に前記連通口Ｙと重合する部位に、その連通口Ｙを遮閉する遮閉部材ｚを設ける。
【００３６】
外周側パイプ６３２は、内径が前記短筒状の外側パイプ６３１の外径に対応する長筒状に形成して、それの先端側を前記外側パイプ６３１の後端側の外周に嵌合して固着連結し、後端側をポンプ装置Ｐのポンプ室ｐのブロック６２に固着連結して、外側パイプ６３１を支持せしめる、という構成のものである。
【００３７】
この実施例は、吐出筒２の吐出口２ａに先端側を接続する外側パイプ６３１を短く形成して、内側パイプ６３０との摺動面を狭くできるので摺動抵抗を小さくできる。
【実施例４】
【００３８】
図１１、図１２は、さらに異なる実施例の要部の縦断側面図を示している。
この実施例は、前述の各実施例のものが、弁機構４を閉弁に作動させてシーラの吐出を停止させたときに生じてくるシーラの液だれを、弁機構４の閉弁作動に連動するポンプ装置Ｐの吸引作動による吸引圧で、吐出筒２内に引き込んでポンプ装置Ｐのポンプ室ｐに吸引させて除去するようにするときの、シーラを吐出筒２内に引き込む効率を良くするのに、ポンプ装置Ｐの吸引作動による吸引圧が、吐出筒２内のシーラの流路ｕには作用しないよう、吸引・吐出パイプ６３に設けた連通口Ｙを遮閉部材ｚにより閉塞して、流路ｕ中にあるボディａ内のシーラは吸引しないで、吐出筒２の筒先の吐出口２ａからだけシーラを吸引するようにしているのに対し、ポンプ装置Ｐが吸引作動を行ったときの吸引圧が、吸引・吐出パイプ６３の内腔にシーラが存在しない空の状態のところに作用するようにしておいて、吸引圧によるシーラの吐出口２ａからの流入が、抵抗なく効率的に行われることで、シーラの吐出筒２への引き込みの効率を良くするようにしている例である。
【００３９】
この実施例は、上述の液だれ防止装置Ｂを装備せるシーラガンにおいて、ポンプ装置Ｐのポンプ室ｐに接続せしめて吐出筒２内に配設する吸引・吐出パイプ６３は、軸方向に短い短筒状に形成した内側パイプ６３０と軸方向に長い長筒状に形成した外側パイプ６３１とを重合して接続した継ぎパイプ状に構成し、内側パイプ６３０は、先端側を吐出筒２の筒先の吐出口２ａに固定接続し、吐出筒２内に位置する筒壁に吐出筒２内のシーラの流路ｕに通ずる連通口Ｙを開設し、外側パイプ６３１は先端側を前記内側パイプ６３０の基端側の外周に重合させて接続固着し、基端側をポンプ室ｐに接続連通させるとともに、ポンプ室ｐのブロック６２に固着連結する。そして、該外側パイプ６３１の内腔には、基端側が、前記ポンプ装置Ｐのピストン６１に接続連結し、先端側に、前記内側パイプ６３０の後端開口部を封栓する封栓部ｘを具備する封栓ロッドＬを、ピストン６１の前方移動時に封栓部ｘが封栓位置を占めピストン６１の後方移動時に開封位置を占める長さに形成して配設し、それの突出端部を前記短筒状の内側パイプ６３０に出入自在に嵌挿せしめた構成としたものである。
【００４０】
この構成により、握りレバー５を握り込み弁機構４を開弁させてシーラを吐出させたときは、同時に作動するポンプ装置Ｐの吐出作動で、封栓ロッドＬが前方に移動して内側パイプ６３０の後端開口部を封栓部ｘで塞ぎ、シーラが流路ｕから連通口Ｙを経て吐出口２ａから吐出されていくときに、そのシーラが、外側パイプ６３１内に流入するのを阻止して、この外側パイプ６３１内を空の状態に保持する。握りレバー５の握り込みを放して、弁機構４を閉弁に作動させ、シーラの吐出を停止させたときは、同時に作動するポンプ装置Ｐの吸引作動で、封栓ロッドＬが後退して、内側パイプ６３０の後端開口部が開放し、吐出口２ａからシーラが空の状態の外側パイプ６３１を経てポンプ室ｐに引き込まれるようになる。この手段は、ポンプ装置Ｐの吸引作動による吸引圧で、シーラを吐出口２ａから吐出筒２内に引き込むときに、引き込まれたシーラが、殆ど抵抗なくポンプ室ｐに向け流動していくようになるので、連通口Ｙを介して流路ｕ内から引き込むシーラの量を少なくし、吐出口２ａの外からのシーラの引き込みの効率を良くする。連通口Ｙは、短筒状の内側パイプ６３０の内周面に沿う環状に形成して、封栓ロッドＬの先端から放射方向に突出するステーに支持せしめて封栓ロッドＬに取り付けた環状の遮閉部材ｚによって、封栓ロッドＬの作動に連動して開閉制御される。
【符号の説明】
【００４１】
Ａ    シーラガン
Ｂ    液だれ防止装置
Ｌ    封栓ロッド
Ｐ    ポンプ装置
Ｙ    連通口
ａ    ボディ
ｐ    ポンプ室
ｕ    流路
ｕ’  下流側の流路
ｕ”  上流側の流路
ｘ    封栓部
ｙ    連通穴
ｚ    遮閉部材
１    把持グリップ
２    吐出筒
２ａ  吐出口
３    導入管
４    弁機構
４０    弁口
４１    弁座口
４２    弁軸
５    握りレバー
５０    復元バネ
５１    連繋機構
５２    係合突起
６０    ケーシング
６１    ピストン
６２    ブロック
６３    吸引・吐出パイプ
６３０    内側パイプ
６３１    外側パイプ
６３２    外周側
７    シャフト
７０    係合部材
７１    規制部材
７２    係合バネ
【図１】
0005689286.tif 000002
【図２】
0005689286.tif 000003
【図３】
0005689286.tif 000004
【図４】
0005689286.tif 000005
【図５】
0005689286.tif 000006
【図６】
0005689286.tif 000007
【図７】
0005689286.tif 000008
【図８】
0005689286.tif 000009
【図９】
0005689286.tif 000010
【図１０】
0005689286.tif 000011
【図１１】
0005689286.tif 000012
【図１２】
0005689286.tif 000013